(57)【要約】【課題】  利便性の高いリモコンシステムを提供する。【解決手段】  液晶パネルに表示された表示画面上の各スイッチあるいは各数字ボタンが操作された際には（ＲＳ２）、操作されたボタンに対応する操作機能をデータテーブルから検索するとともに、検索された操作機能に関連付けられた各メーカー各タイプのコマンドデータをデータテーブルから読み出す（ＲＳ４）。そして、読み出された各コマンドデータに基づく赤外線信号を、一つずつ送受信部より送出し（ＲＳ５）、この操作機能に関連付けられた各メーカー各タイプの総てのコマンドデータの送出が完了したら（ＲＳ６）、ステップＲＳ２へ戻る。【選択図】        図６
2005197771.tif 000002
【特許請求の範囲】
【請求項１】
テレビをリモコン操作する為のコマンドコードを送出可能な送出部が設けられた携帯端末と、データベースを備えたサーバとがネットワークを介して通信可能に接続され、前記データベースに、操作対象とするテレビメーカーのタイプ毎に定められた各操作機能に対応するコマンドコードがコマンドデータとして総括して記憶されたリモコンシステムであって、
前記携帯端末は、
前記サーバに対して前記コマンドデータの送信を要求するコマンドデータ要求手段と、
前記サーバから送られて来た前記コマンドデータを受信して記憶するコマンドデータ記憶手段と、
操作入力時に、該操作入力に応じた操作機能に対応するコマンドコードを前記コマンドデータを参照して読み出すとともに、読み出されたコマンドコードの総てを前記送出部より送出する送出手段とを備え、
前記サーバは、
前記携帯端末からの前記コマンドデータの送信要求に応じて、前記データベースに記憶された前記コマンドデータを送信要求した携帯端末に対して送信するコマンドデータ送信手段を備えた
ことを特徴とするリモコンシステム。
【請求項２】
前記携帯端末は、複数の数字ボタンを備え、各数字ボタンに前記各操作機能を対応させて割り当てるとともに、
前記送出手段は、いずれかの数字ボタンが押された際に、押された数字ボタンに割り当てられた前記操作機能に対応するコマンドコードを送出することを特徴とする請求項１記載のリモコンシステム。
【請求項３】
前記送出手段は、読み出されたコマンドコードの総てを前記送出部より順次送出することを特徴とする請求項１又は２記載のリモコンシステム。
【請求項４】
テレビをリモコン操作する為のコマンドコードを送出可能な送出部が設けられた携帯端末にネットワークを介して通信可能の接続されるとともに、操作対象とするテレビメーカーのタイプ毎に定められた各操作機能に対応するコマンドコードがコマンドデータとして総括して記憶されたデータベースを有するサーバであって、
前記携帯端末からの前記コマンドデータの送信要求に応じて前記データベースに記憶された前記コマンドデータを送信要求した携帯端末に対して送信するコマンドデータ送信手段を備えたことを特徴とするサーバ。
【請求項５】
操作対象とするテレビメーカーのタイプ毎に定められた各操作機能に対応するコマンドコードがコマンドデータとして総括して記憶されたデータベースを備えたサーバにネットワークを介して通信可能に接続されるとともに、テレビをリモコン操作する為のコマンドコードを送出可能な送出部が設けられた携帯端末であって、
前記サーバに対して前記コマンドデータの送信を要求するコマンドデータ要求手段と、
前記送信要求に応じて前記サーバから送られて来た前記コマンドデータを受信して記憶するコマンドデータ記憶手段と、
操作入力時に、該操作入力に応じた操作機能に対応するコマンドコードを前記コマンドデータを参照して読み出すとともに、読み出されたコマンドコードの総てを前記送出部より送出する送出手段と、
を備えたことを特徴とする携帯端末。
【請求項６】
複数の数字ボタンを備えるとともに、各数字ボタンに前記各操作機能を対応させて割り当てる一方、
前記送出手段は、いずれかの数字ボタンが押された際に、押された数字ボタンに割り当てられた前記操作機能に対応する総てのコマンドコードを送出することを特徴とした請求項５記載の携帯端末。
【請求項７】
前記送出手段は、読み出されたコマンドコードの総てを前記送出部より順次送出することを特徴とする請求項５又は６記載の携帯端末。
【請求項８】
操作対象とするテレビメーカーのタイプ毎に定められた各操作機能に対応するコマンドコードがコマンドデータとして総括して記憶されたデータベースを備えたサーバにネットワークを介して通信可能に接続されるとともに、テレビをリモコン操作する為のコマンドコードを送出可能な送出部が設けられた携帯端末を用いるリモコン操作方法であって、
前記サーバに対して前記コマンドデータの送信を要求するコマンドデータ要求ステップと、
前記送信要求に応じて前記サーバから送られて来た前記コマンドデータを受信して記憶するコマンドデータ記憶ステップと、
操作入力時に、該操作入力に応じた操作機能に対応するコマンドコードを前記コマンドデータを参照して読み出すとともに、読み出されたコマンドコードの総てを前記送出部より送出する送出ステップと、
を備えたことを特徴とするリモコン操作方法。
【請求項９】
前記携帯端末は、複数の数字ボタンを備えており、さらに各数字ボタンに前記各操作機能を対応させて割り当てるステップを備え、
前記送出ステップは、いずれかの数字ボタンが押された際に、押された数字ボタンに割り当てられた前記操作機能に対応する総てのコマンドコードを送出することを特徴とした請求項８記載のリモコン操作方法。
【請求項１０】
前記送出手段は、読み出されたコマンドコードの総てを前記送出部より順次送出することを特徴とする請求項８又は９記載のリモコン操作方法。
【請求項１１】
操作対象とするテレビメーカーのタイプ毎に定められた各操作機能に対応するコマンドコードがコマンドデータとして総括して記憶されたデータベースを備えたサーバにネットワークを介して通信可能に接続されるとともに、テレビをリモコン操作する為のコマンドコードを送出可能な送出部が設けられた携帯端末のコンピュータに実行させるリモコン操作プログラムであって、
前記サーバに対して前記コマンドデータの送信を要求するコマンドデータ要求手順と、
前記送信要求に応じて前記サーバから送られて来た前記コマンドデータを受信して記憶するコマンドデータ記憶手順と、
操作入力時に、該操作入力に応じた操作機能に対応するコマンドコードを前記コマンドデータを参照して読み出すとともに、読み出されたコマンドコードの総てを前記送出部より送出する送出手順と、
を備えたことを特徴とするリモコン操作プログラム。
【請求項１２】
前記携帯端末は、複数の数字ボタンを備えており、さらに各数字ボタンに前記各操作機能を対応させて割り当てるステップを備え、
前記送出手順は、いずれかの数字ボタンが押された際に、押された数字ボタンに割り当てられた前記操作機能に対応する総てのコマンドコードを送出することを特徴とした請求項１１記載のリモコン操作プログラム。
【請求項１３】
前記送出手順は、読み出されたコマンドコードの総てを前記送出部より順次送出することを特徴とする請求項１１又は１２記載のリモコン操作プログラム。
【発明の詳細な説明】
【技術分野】
【０００１】
本発明は、たとえば、テレビのチャンネル等をリモコン操作するリモコンシステムに関する。
【背景技術】
【０００２】
従来、テレビには、リモコンが付属されており、チャンネル変更等を遠隔操作できるように構成されている。
【０００３】
一方、テレビのメーカー等を問わずに操作できるリモコン端末が知られており、このリモコン端末と操作対象のテレビ間で双方向に通信することで、タイプを特定するものが知られている（例えば、特許文献１参照。）。
【０００４】
これにより、テレビのメーカーやタイプの登録を行うこと無く、当該リモコン端末を、そのテレビのリモコンとして利用できるように構成されている。
【特許文献１】特開２０００−３２４５７３号公報
【発明の開示】
【発明が解決しようとする課題】
【０００５】
しかしながら、このようなリモコン端末の場合には、テレビ側にもリモコン端末との間で処理を実行するアプリケーションなどの機能が必要となり、コストが増大するという問題点があった。
【０００６】
また、テレビ側が特定のリモコン端末に対応するスペックとなり、汎用性が無かった。
【０００７】
本発明は、このような従来の課題に鑑みてなされたものであり、低コストで汎用性のある利便性の高いリモコンシステムを提供することを目的とするものである。
【課題を解決するための手段】
【０００８】
前記課題を解決するために本発明の請求項１のリモコンシステムにあっては、テレビをリモコン操作する為のコマンドコードを送出可能な送出部が設けられた携帯端末と、データベースを備えたサーバとがネットワークを介して通信可能に接続され、前記データベースに、操作対象とするテレビメーカーのタイプ毎に定められた各操作機能に対応するコマンドコードがコマンドデータとして総括して記憶されたリモコンシステムであって、前記携帯端末は、前記サーバに対して前記コマンドデータの送信を要求するコマンドデータ要求手段と、前記サーバから送られて来た前記コマンドデータを受信して記憶するコマンドデータ記憶手段と、操作入力時に、該操作入力に応じた操作機能に対応するコマンドコードを前記コマンドデータを参照して読み出すとともに、読み出されたコマンドコードの総てを前記送出部より送出する送出手段とを備え、前記サーバは、前記携帯端末からの前記コマンドデータの送信要求に応じて、前記データベースに記憶された前記コマンドデータを送信要求した携帯端末に対して送信するコマンドデータ送信手段を備えている。
【０００９】
すなわち、テレビをリモコン操作する際には、予め携帯端末をサーバに接続するとともに、該サーバに対してコマンドデータの送信を要求する。すると、サーバからは、この送信要求に応答して、データベースに記憶されたコマンドデータが送信される。このとき、前記データベースには、操作対象とするテレビメーカーのタイプ毎に定められた各操作機能に対応するコマンドコードが前記コマンドデータとして総括して記憶されており、前記携帯端末には、このコマンドデータが送信され記憶される。
【００１０】
そして、この携帯端末をリモコンとして利用して例えばテレビチャンネルをＮＨＫ総合チャンネルに変更する際には、送出部のコマンドデータがテレビへ到達するように当該携帯端末をテレビへ向けて操作する。すると、この操作入力に応ずる操作機能、つまりＮＨＫ総合チャンネルへの切換コードであるコマンドコードが前記コマンドデータから読み出され、読み出されたコマンドコードが送出部より送出される。
【００１１】
このとき、ＮＨＫ総合チャンネルへの切換コードは、各テレビメーカーのタイプ毎に設定されており、異なるデータ形式を有する。しかし、当該携帯端末からは、前記コマンドデータから読み出された各メーカー各タイプのコマンドコードの総てが送出部より送出されるため、当該携帯端末が向けられたテレビは、送出されたコマンドコードいずれかによって作動し、チャンネルが切り換えられる。
【００１２】
また、請求項２のリモコンシステムにおいては、前記携帯端末は、複数の数字ボタンを備え、各数字ボタンに前記各操作機能を対応させて割り当てるとともに、前記送出手段は、いずれかの数字ボタンが押された際に、押された数字ボタンに割り当てられた前記操作機能に対応するコマンドコードを送出する。
【００１３】
これにより、複数設けられたいずれかの数字ボタンを操作することによって、当該数字ボタンに割り当てられた操作機能がダイレクトに実行される。
【００１４】
さらに、請求項３のリモコンシステムでは、前記送出手段は、読み出されたコマンドコードの総てを前記送出部より順次送出する。
【００１５】
このため、一つの送出部であっても、その送出部から総てのコマンドコードが順次送出される。
【００１６】
また、本発明の請求項４のサーバにおいては、テレビをリモコン操作する為のコマンドコードを送出可能な送出部が設けられた携帯端末にネットワークを介して通信可能の接続されるとともに、操作対象とするテレビメーカーのタイプ毎に定められた各操作機能に対応するコマンドコードがコマンドデータとして総括して記憶されたデータベースを有するサーバであって、前記携帯端末からの前記コマンドデータの送信要求に応じて前記データベースに記憶された前記コマンドデータを送信要求した携帯端末に対して送信するコマンドデータ送信手段を備えている。
【００１７】
これにより、このサーバに、前記携帯端末を接続して前記コマンドデータを得ることで、請求項１に記載した発明と同様の作用効果を得ることが可能となる。
【００１８】
さらに、本発明の請求項５の携帯端末にあっては、操作対象とするテレビメーカーのタイプ毎に定められた各操作機能に対応するコマンドコードがコマンドデータとして総括して記憶されたデータベースを備えたサーバにネットワークを介して通信可能に接続されるとともに、テレビをリモコン操作する為のコマンドコードを送出可能な送出部が設けられた携帯端末であって、前記サーバに対して前記コマンドデータの送信を要求するコマンドデータ要求手段と、前記送信要求に応じて前記サーバから送られて来た前記コマンドデータを受信して記憶するコマンドデータ記憶手段と、操作入力時に、該操作入力に応じた操作機能に対応するコマンドコードを前記コマンドデータを参照して読み出すとともに、読み出されたコマンドコードの総てを前記送出部より送出する送出手段と、を備えている。
【００１９】
また、請求項６の携帯端末にあっては、複数の数字ボタンを備えるとともに、各数字ボタンに前記各操作機能を対応させて割り当てる一方、前記送出手段は、いずれかの数字ボタンが押された際に、押された数字ボタンに割り当てられた前記操作機能に対応する総てのコマンドコードを送出する。
【００２０】
さらに、請求項７の携帯端末では、前記送出手段は、読み出されたコマンドコードの総てを前記送出部より順次送出する。
【００２１】
したがって、この携帯端末を前記サーバに接続してコマンドデータを得ることで、請求項１、２又は３に記載した発明と同様の作用効果を得ることが可能となる。
【００２２】
また、本発明の請求項８のリモコン操作方法においては、操作対象とするテレビメーカーのタイプ毎に定められた各操作機能に対応するコマンドコードがコマンドデータとして総括して記憶されたデータベースを備えたサーバにネットワークを介して通信可能に接続されるとともに、テレビをリモコン操作する為のコマンドコードを送出可能な送出部が設けられた携帯端末を用いるリモコン操作方法であって、前記サーバに対して前記コマンドデータの送信を要求するコマンドデータ要求ステップと、前記送信要求に応じて前記サーバから送られて来た前記コマンドデータを受信して記憶するコマンドデータ記憶ステップと、操作入力時に、該操作入力に応じた操作機能に対応するコマンドコードを前記コマンドデータを参照して読み出すとともに、読み出されたコマンドコードの総てを前記送出部より送出する送出ステップと、を備えている。
【００２３】
さらに、請求項９のリモコン操作方法にあっては、前記携帯端末は、複数の数字ボタンを備えており、さらに各数字ボタンに前記各操作機能を対応させて割り当てるステップを備え、前記送出ステップは、いずれかの数字ボタンが押された際に、押された数字ボタンに割り当てられた前記操作機能に対応する総てのコマンドコードを送出する。
【００２４】
加えて、請求項１０のリモコン操作方法では、前記送出手段は、読み出されたコマンドコードの総てを前記送出部より順次送出する。
【００２５】
したがって、請求項８、９及び１０に記載する処理を携帯端末に実行させることにより、請求項１、２又は３に記載した発明と同様の作用効果を得ることが可能となる。よって、記載される処理をコンピュータなどのハードウエアを用いて実行することにより、これらのハードウエアで本発明のリモコン操作技術が容易に実施することができる。
【００２６】
また、本発明の請求項１１のリモコン操作プログラムであっては、操作対象とするテレビメーカーのタイプ毎に定められた各操作機能に対応するコマンドコードがコマンドデータとして総括して記憶されたデータベースを備えたサーバにネットワークを介して通信可能に接続されるとともに、テレビをリモコン操作する為のコマンドコードを送出可能な送出部が設けられた携帯端末のコンピュータに実行させるリモコン操作プログラムであって、前記サーバに対して前記コマンドデータの送信を要求するコマンドデータ要求手順と、前記送信要求に応じて前記サーバから送られて来た前記コマンドデータを受信して記憶するコマンドデータ記憶手順と、操作入力時に、該操作入力に応じた操作機能に対応するコマンドコードを前記コマンドデータを参照して読み出すとともに、読み出されたコマンドコードの総てを前記送出部より送出する送出手順と、を備えている。
【００２７】
さらに、請求項１２のリモコン操作プログラムにおいては、前記携帯端末は、複数の数字ボタンを備えており、さらに各数字ボタンに前記各操作機能を対応させて割り当てるステップを備え、前記送出手順は、いずれかの数字ボタンが押された際に、押された数字ボタンに割り当てられた前記操作機能に対応する総てのコマンドコードを送出する。
【００２８】
加えて、請求項１３のリモコン操作プログラムでは、前記送出手順は、読み出されたコマンドコードの総てを前記送出部より順次送出する。
【００２９】
したがって、前記コンピュータがこのプログラムに従って処理を実行することにより、請求項１、２又は３記載の発明と同様の作用効果を奏する。
【発明の効果】
【００３０】
以上説明したように本発明のにあっては、サーバからのコマンドデータを参照し操作機能に対応した総てのコマンドコードを送出するため、テレビのメーカーやタイプを入力すること無く、テレビをリモコン操作することができる。このため、メーカーやタイプが判らない場合であっても、リモコン操作を行うことができ、利便性を向上することができる。
【００３１】
そして、携帯端末がテレビの専用リモコンとはならず、テレビとの間で通信が不要なので、低コストかつ汎用性を実現できる。
【００３２】
また、携帯端末に設けられた数字ボタンに予め操作機能を割り当てることで、操作した数字ボタンに割り当てられた操作機能をダイレクトに実行することができる。よって、さらなる利便性の向上を図ることができる。
【００３３】
加えて、コマンドコードを送出する送出部を複数設けること無く、一つの送出部であっても、総てのコマンドコードを送出することができる。
【発明を実施するための最良の形態】
【００３４】
以下、本発明の一実施の形態を図面にしたがって説明する。図１は、本発明にかかるリモコンシステム１を示すブロック図であり、該リモコンシステム１は、ネットワークであるインターネット２を利用して構築されている。このインターネット２上には、データサーバ３が設けられており、該データサーバ３には、インターネット２上に設けられた基地局４を介して、携帯端末である携帯電話５が接続できるように構成されている。
【００３５】
前記データサーバ３は、データを記憶する記憶領域を備えており、該記憶領域には、プログラムを記憶するためのプログラム記憶領域と、データを記憶するためのデータ記憶領域とが形成されている。このデータサーバ３は、通信機能を備えており、前記プログラム領域に記憶されたＷｅｂサーバープログラムに従って作動することにより、前記携帯電話５と通信ができるように構成されている。
【００３６】
前記データ記憶領域は、携帯電話５で作動する複数のアプリケーションプログラムを記憶する領域の他に、データベース１１を備えてなり、該データベース１１には、図２に示すように、操作対象とするテレビメーカー１２と、例えば機種毎に設定された各タイプ１３と、各テレビメーカー１２の各タイプ１３毎に定められた各操作機能１４に対応するコマンドコード１５とがコマンドデータ１６として総括して記憶されている。
【００３７】
前記携帯電話５は、図３に示すように、ＣＰＵ２１（マイクロコンピュータ）を中心に構成されている。このＣＰＵ２１には、ＲＯＭ２２及びＲＡＭ２３が接続されており、前記ＲＯＭ２２に記憶されたプログラムに従ってＣＰＵ２１を動作するとともに、処理内容やアプリケーションプログラムを前記ＲＡＭ２３に記憶できるように構成されている。
【００３８】
前記ＣＰＵ２１には、前記インターネット２上に設けられた基地局４と無線通信する為の通信部３１が接続されており、データ通信機能を備えている。これにより、前記ＲＯＭ２２又はＲＡＭ２３に記憶されたＷｅｂブラウザプログラムを作動することで、前記インターネット２を経由して前記データサーバ１１と交信できるように構成されている。
【００３９】
また、前記ＣＰＵ２１には、図１及び図３に示したように、液晶パネル４１を備えた表示部４２と、数字ボタン４３，・・・や十字ボタン４４や決定ボタン４５等からなる入力部４６とが接続されており、データ入力及び画面表示ができるように構成されている。これにより、この携帯電話５は、インターネット２を経由して前記データサーバ３に接続し、該データサーバ３に構築されたサイト（ホームページ）にアクセスして、当該サイトを利用できるように構成されている。
【００４０】
そして、前記ＣＰＵ２１には、赤外線通信部５１が接続されており、該赤外線通信部５１に接続された送受信部５２から赤外線５３を送受信して他の携帯電話やパソコンと通信する機能を備えている。この送受信部５２は、テレビ５４をリモコン操作する為のコマンドコードを赤外線５３に乗せて送出する本発明の送出部を構成している。なお、本実施の形態では、送信部としての送受信部５２が一つの場合を例に挙げたため、送出されるコマンドコードは順次出力となる。
【００４１】
以上の構成にかかる本実施の形態の動作を、図４に示すフローチャートに従って説明する。なお、本実施の形態では、ＴＶリモコン用のアプリケーションプログラムがＲＡＭ２３に記憶されていない場合を想定して説明する。また、このＴＶリモコン用のアプリケーションプログラムや前記Ｗｅｂブラウザプログラム等は、図外の着脱式の記憶媒体であるメモリカードから読み出して前記ＲＡＭ２３に記憶することで、前記ＣＰＵ２１で実行できるように構成されている。
【００４２】
すなわち、本リモコンシステム１を利用してテレビ５４をリモコン操作する際には、予め携帯電話５を利用してデータサーバ３に構築されたサイトにアクセスし、当該サイトで紹介されたアプリケーションプログラムであるＴＶリモコンソフトのダウンロードを選択することで、データサーバ３に対してアプリケーションプログラムの送信を要求する（ＫＳ１）。すると、当該データサーバ３は、記憶領域に記憶されたＴＶリモコンソフトを、送信要求した携帯電話５へ送信し（ＤＳ１）、これを受信した携帯電話５では、受信したＴＶリモコンソフトを前記ＲＡＭ２３に記憶して保存する（ＫＳ２）。
【００４３】
次に、前記携帯電話５は、前記ＴＶリモコンソフトで使用するコマンドデータの送信を前記データサーバ３に対して要求する（ＫＳ３）。すると、データサーバ３は、この送信要求に応答して、前記データベース１１に記憶されたコマンドデータ１６を、送信要求した携帯電話５に対して送信するので（ＤＳ２）、これを受信した携帯端末５では、受信したコマンドデータ１６をＲＡＭ２３に記憶して保存する（ＫＳ４）。
【００４４】
このとき、前記データベース１１には、操作対象とするテレビメーカー１２のタイプ１３毎に定められた各操作機能１４に対応するコマンドコード１５が前記コマンドデータ１６として総括して記憶されており、前記携帯端末５では、このコマンドデータ１６を、図５に示すように、各操作機能６１毎に、各テレビメーカ６２の各タイプ６３に対応したコマンドコード６４を分類して記憶する。このとき、当該携帯電話５は、各数字ボタン４３に前記各操作機能６１を対応させて割り当てたデータテーブル６５を構築する。
【００４５】
具体的に説明すると、「１」の数字ボタン４３ａには、テレビチャンネルをＮＨＫ総合チャンネルに設定するという操作機能６１を割り当て、Ｓ社製のＡタイプにおいてＮＨＫ総合チャンネルを設定する際に出力するコマンドコード「１１１１１１３３１」と、Ｓ社製のＢタイプで出力するコマンドコード「１１１２２２３３１」、Ｔ社製のＡタイプで出力するコマンドコード「２２２１１１３３１」、Ｔ社製のＢタイプで出力するコマンドコード「２２２２２２３３１」、・・・等を、「１」の数字ボタン４３ａに関連付けて記憶する。同様に、「２」の数字ボタン４３ｂには、テレビチャンネルをＮＨＫ教育チャンネルに設定するという操作機能を割り当て、Ｓ社製のＡタイプにおいてＮＨＫ教育チャンネルを設定する際に出力するコマンドコード「３３３１１１３３２」と、Ｓ社製のＢタイプで出力するコマンドコード「３３３２２２３３２」、・・・等を、「２」の数字ボタン４３ｂに関連付けて記憶する。
【００４６】
そして、前記ＲＡＭ２３に記憶された前記ＴＶリモコンソフトを起動する（ＫＳ５）。
【００４７】
このアプリケーションプログラムで実行されるリモコン処理では、図６に示すように、携帯電話５における表示部４２の液晶パネル４１に、図７に示すような表示画面７１を表示する（ＲＳ１）。
【００４８】
この表示画面７１には、第１〜第８のチャンネルスイッチ８１〜８８と、＋音量スイッチ９１と、−音量スイッチ９２と、ビデオスイッチ９３とが表示されており、いずれかのスイッチを前記十字ボタン４４で選択し、前記決定ボタン４５で決定できるように構成されれいる。また、前記第１〜第８のチャンネルスイッチ８１〜８８には、「０」〜「７」の数字が表示されており、各チャンネルスイッチ８１〜８８が、「０」〜「７」の数字ボタン４３に対応することが示されている。
【００４９】
この表示画面７１上の各スイッチあるいは前記各数字ボタン４３が操作された際には（ＲＳ２）、当該処理が終了か否かを判断し（ＲＳ３）、終了の場合には、メインルーチンへ戻る一方、終了で無い場合には、操作されたボタンに対応する操作機能６１を前記データテーブル６５から検索するとともに、検索された操作機能６１に関連付けられた各メーカー６２各タイプ６３のコマンドデータ６４を前記データテーブル６５から読み出す（ＲＳ４）。そして、読み出された各コマンドデータ６４に基づく赤外線信号を、一つずつ前記送受信部５２より送出し（ＲＳ５）、前記操作機能６１に関連付けられた各メーカー６２各タイプ６３の総てのコマンドデータ６４の送出が完了した際には（ＲＳ６）、前記ステップＲＳ２へ戻る。
【００５０】
この動作を具体例を挙げて説明する。すなわち、前記携帯電話５をリモコンとして利用して例えば食堂のテレビのチャンネルをＮＨＫ総合チャンネルに変更する際には、前記送受信部５２をテレビ５４に向けて「１」の数字ボタン４３ａを押す。すると、この「１」の数字ボタン４３ａに割り当てられた「テレビチャンネルをＮＨＫ総合チャンネルへの切り換える」という操作機能６１に関連付けられたコマンドコード６４が前記送受信部５２より赤外線信号に乗せて送出される。
【００５１】
このとき、ＮＨＫ総合チャンネルに切り換える為のコマンドコードは、各テレビメーカー６２の各タイプ６３毎に設定されており、異なるデータ形式を有する。しかし、当該携帯電話５からは、前述したように各メーカー６２各タイプ６３のコマンドコード６４の総てが順次送出されるため、当該携帯電話５が向けられたテレビ５４は、順次送出されるコマンドコード６４いずれかによって作動し、チャンネルが切り換えられる。
【００５２】
このように、データサーバ３からのコマンドデータを参照し、操作機能６１に対応した総てのコマンドコード６４を送出することで、利用するテレビのメーカーやタイプを入力すること無く、テレビ５４をリモコン操作することができる。このため、メーカーやタイプが判らない場合であっても、リモコン操作を行うことができ、利便性を向上することができる。
【００５３】
そして、当該携帯電話５がテレビ５４の専用リモコンとはならず、テレビ５４との間で通信が不要なので、低コストかつ汎用性を実現できる。
【００５４】
また、携帯電話５に設けられた数字ボタン４３を操作することによって、当該数字ボタン４３に割り当てられた操作機能をダイレクトに実行することができる。これにより、さらなる利便性の向上を図ることができる。
【００５５】
さらに、総てのコマンドコード６４を順次送出するため、コマンドコード６４を送出する送受信部５２を複数設けること無く、一つの送出部５２で総てのコマンドコード６４を送出することができる。
【００５６】
なお、本実施の形態では、リストアップされた各メーカー６２のチャンネルに対応するコマンドコード６４を、図５中のデータテーブル６５の上から又は下から順番に読み出して送出するようにしたが、本発明はこれに限定されれず、ランダムに送出するようにしても良い。
【００５７】
また、リモコン送出のボタン操作に代わり、カーソル移動と決定ボタン４５操作をリモコン送出としても良い。
【００５８】
また、赤外線の送受信部５２を複数個設けて、複数のコマンドコード６４，・・・を同時に送出するようにしても良い。
【図面の簡単な説明】
【００５９】
【図１】本発明の一実施の形態を示すブロック図である。
【図２】同実施の形態におけるコマンドデータを示す図である。
【図３】同実施の形態の携帯電話を示すブロック図である。
【図４】同実施の形態の動作を示すフローチャートである。
【図５】同実施の形態におけるデータテーブルを示す図である。
【図６】同実施の形態の携帯電話でのリモコン処理を示すフローチャートである。
【図７】同実施の形態の携帯電話での表示画面を示す図である。
【符号の説明】
【００６０】
１    リモコンシステム
２    インターネット
３    データサーバ
５    携帯電話
１１    データベース
１５    コマンドコード
１６    コマンドデータ
２１    ＣＰＵ
４３    数字ボタン
５２    送受信部
５４    テレビ
【図１】
2005197771.tif 000003
【図２】
2005197771.tif 000004
【図３】
2005197771.tif 000005
【図４】
2005197771.tif 000006
【図５】
2005197771.tif 000007
【図６】
2005197771.tif 000008
【図７】
2005197771.tif 000009